(57)【要約】【課題】生体が近接しているかを検出する。【解決手段】一つの実施形態によれば、生体検出センサは、生体が近接しているかを検出する。基板は基準電位電極が設けられる。信号発生部は基板の第１主面上に設けられ、第１信号を発生する。第１端子は基板の第１主面上に設けられ、第１信号線を介して信号発生部に接続され、第１信号を伝送する。第１導電体は基板の第１主面側に設けられ、第２信号線を介して第１端子に接続され、第１信号を入力する。第２導電体は基板の第１主面側に設けられ、第１導電体から送信される第１信号を受信する。第２端子は基板の第１主面上に設けられ、第３信号線を介して第２導電体に接続され、第１信号を伝送する。検出部は基板の第１主面上に設けられ、第４信号線を介して第２端子に接続され、第１信号が入力され、第１導電体と第２導電体の間で発生する電界を検出する。【選択図】  図１
2015032927.tif 000002
【特許請求の範囲】
【請求項１】
基準電位電極が設けられる基板と、
前記基板の第１主面上に設けられ、第１信号を発生する信号発生部と、
前記基板の第１主面上に設けられ、第１信号線を介して前記信号発生部に接続され、前記第１信号を伝送する第１端子と、
前記基板の第１主面側に設けられ、第２信号線を介して前記第１端子に接続され、前記第１信号を入力する第１導電体と、
前記基板の第１主面側に設けられ、前記第１導電体から送信される前記第１信号を受信する第２導電体と、
前記基板の第１主面上に設けられ、第３信号線を介して前記第２導電体に接続され、前記第１信号を伝送する第２端子と、
前記基板の第１主面上に設けられ、第４信号線を介して前記第２端子に接続され、前記第１信号が入力され、前記第１導電体と前記第２導電体の間で発生する電界を検出する検出部と、
を具備し、生体が近接しているかを検出することを特徴とする生体検出センサ。
【請求項２】
前記基板の第１主面上に設けられ、信号線を介して前記検出部に接続され、前記検出部を制御する制御部を更に具備することを特徴とする請求項１に記載の生体検出センサ。
【請求項３】
ベースバンド部、第１スイッチ、第２スイッチ、第１高周波部、及び第２高周波部を更に具備し、
前記第１高周波部は、前記第２スイッチとアンテナの間に設けられ、
前記第２高周波部は、前記第２スイッチと前記第１導電体の間に設けられ、
前記第１スイッチは、前記信号発生部と前記第１導電体の間に設けられ、前記制御部の第１制御信号に基づいて、前記信号発生部と前記第１導電体の間を接続或いは遮断し、
前記第２スイッチは、前記ベースバンド部と信号を送受信し、前記制御部の第２制御信号に基づいて、前記ベースバンド部と前記第１高周波部の間、或いは前記ベースバンド部と前記第２高周波部の間を接続し、
前記生体と前記生体検出センサの距離が所定の距離以内のとき、生体周囲に発生する電磁界を利用して通信を行い、前記生体と前記生体検出センサの距離が所定の距離外のとき、前記アンテナを介して通信を行うことを特徴とする請求項２に記載の生体検出センサ。
【請求項４】
心電計、第１ローパスフィルタ、第２ローパスフィルタ、及びユーザーインターフェースを更に具備し、
前記心電計は、心電情報を前記ベースバンド部へ出力し、
前記第１ローパスフィルタは、前記心電計と前記第１導電体の間に設けられ、
前記第２ローパスフィルタは、前記心電計と前記第２導電体の間に設けられ、
前記ユーザーインターフェースは、前記制御部を介して前記心電計で計測される前記生体の心電情報を入力し、
前記生体と前記生体検出センサの距離に応じて通信を切り替えて前記生体の心電情報を外部に送信することを特徴とする請求項３に記載の生体検出センサ。
【請求項５】
前記第１導電体及び前記第２導電体は、それぞれ複数の導電体から構成され、
送受信コイルを更に具備し、
前記送受信コイルは巻線形状を有し、前記第１導電体と前記第２導電体は巻線の間に交互に配置され、
前記送受信コイルはワイヤレス電力伝送を行い、
生体が前記送受信コイルに近接しているかを検出することを特徴とする請求項１に記載の生体検出センサ。
【請求項６】
前記第１導電体と前記第２導電体は、板状、円盤状、或いは楕円盤状を有し、対向配置されることを特徴とする請求項１乃至５のいずれか1項に記載の生体検出センサ。
【請求項７】
前記第２導電体は、前記第１導電体の周囲に前記第１導電体と所定距離だけ離間して配置されることを特徴とする請求項１乃至５のいずれか1項に記載の生体検出センサ。
【請求項８】
基準電位電極が設けられる基板と、
前記基板の第１主面上に設けられ、信号を送受信する通信部と、
前記基板の第１主面上に設けられ、第１信号線を介して前記通信部に接続される第１端子と、
前記基板の第１主面側に設けられ、第２信号線を介して前記第１端子に接続される第１導電体と、
前記基板の第１主面側に設けられ、前記第１導電体から送信される第２信号を受信する第２導電体と、
前記基板の第１主面上に設けられ、第３信号線を介して前記第２導電体に接続され、前記第２信号を伝送する第２端子と、
前記基板の第１主面上に設けられ、第４信号線を介して前記第２端子に接続され、前記第２信号が入力され、前記第１導電体と前記第２導電体の間で発生する電界を検出する検出部と、
前記基板の第１主面上に設けられ、一端が第５信号線を介して前記第１端子に接続され、他端が前記基準電位電極に接続される可変容量素子と、
第６信号線を介して前記検出部に接続され、第７信号線を介して前記可変容量素子の制御端子に接続され、前記検出部及び前記可変容量素子を制御する制御部と、
前記基板の第１主面側に設けられ、一端が第８信号線を介して前記第１端子に接続され、他端が前記基準電位電極に接続される磁界送受信部と、
を具備し、生体との距離が所定の距離以内のときに信号を送受信することを特徴とする通信装置。
【請求項９】
基板の第１主面上に設けられ、第１信号を発生する信号発生部と、
前記基板の第１主面上に設けられ、前記第１信号を入力する第１導電体と、
前記基板の第１主面側に設けられ、前記第１導電体から送信される前記第１信号を受信する第２導電体と、
前記基板の第１主面上に設けられ、前記第２導電体から出力される記第１信号が入力され、前記第１導電体と前記第２導電体の間で発生する電界を検出する検出部と、
を具備し、物体内の金属を検出することを特徴とする金属検出センサ。
【発明の詳細な説明】
【技術分野】
【０００１】
本発明の実施形態は、生体検出センサ、生体検出センサを備えた装置、金属検出センサに関する。
【背景技術】
【０００２】
人体などの生体を介して通信データを送受信する生体通信が注目されている。生体通信は、医療／ヘルスケア、近距離無線、車載無線、エンターテイメント等に期待され、消費電力を従来よりも大幅に低減することができる。
【０００３】
生体通信では、生体を伝送路の一部として利用する通信装置に２つの電極が設置される。一つは信号線に接続された信号電極であり、もう一方は基準電位を持つ通信装置の接地電位に接続される基準電位電極である。信号電極同士は主に生体を介して結合し、基準電位電極同士は主に空間や大地を介して結合することで、通信装置は信号電極と基準電位電極の間の電位差を伝達する。
【０００４】
生体通信を行う通信装置では、電極と生体表面の静電結合を使用するので生体表面からの距離によって電極の容量値が低下する。この解決手段として、電極面積を大きくする、或いは可変容量素子を実装することが有力である。ところが、電極面積は実装する機器によって大きさが制限されるという問題点がある。また、可変容量素子を実装すると、生体との距離が把握できないと機器の周囲に生体がなくとも通信が行われる場合が発生するという問題点がある。
【０００５】
したがって、生体との距離を把握することができる生体検出センサは、生体通信を行う装置にとって重要なものとなる。また、この生体検出センサは、物体内に埋設された金属の位置や形状を検出する金属検出センサとしても適用することが可能である。
【先行技術文献】
【特許文献】
【０００６】
【特許文献１】特開２００３−３７５６６号公報
【発明の概要】
【発明が解決しようとする課題】
【０００７】
本発明は、生体が近接しているかを検出することができる生体検出センサ及びそれを備えた装置を提供することにある。
【課題を解決するための手段】
【０００８】
一つの実施形態によれば、生体検出センサは、基板、信号発生部、第１端子、第１導電体、第２導電体、第２端子、及び検出部が設けられる。生体検出センサは、生体が近接しているかを検出する。基板は基準電位電極が設けられる。信号発生部は基板の第１主面上に設けられ、第１信号を発生する。第１端子は基板の第１主面上に設けられ、第１信号線を介して信号発生部に接続され、第１信号を伝送する。第１導電体は基板の第１主面側に設けられ、第２信号線を介して第１端子に接続され、第１信号を入力する。第２導電体は基板の第１主面側に設けられ、第１導電体から送信される第１信号を受信する。第２端子は基板の第１主面上に設けられ、第３信号線を介して第２導電体に接続され、第１信号を伝送する。検出部は基板の第１主面上に設けられ、第４信号線を介して第２端子に接続され、第１信号が入力され、第１導電体と第２導電体の間で発生する電界を検出する。
【０００９】
また、他の実施形態によれば、通信装置は、基板、通信部、第１端子、第１導電体、第２導電体、第２端子、検出部、可変容量素子、制御部、及び磁界送受信部が設けられる。通信装置は、生体との距離が所定の距離以内のときに信号を送受信する。基板は基準電位電極が設けられる。通信部は基板の第１主面上に設けられ、信号を送受信する。第１端子は基板の第１主面上に設けられ、第１信号線を介して通信部に接続される。第１導電体は基板の第１主面側に設けられ、第２信号線を介して第１端子に接続される。第２導電体は基板の第１主面側に設けられ、第１導電体から送信される第２信号を受信する。第２端子は基板の第１主面上に設けられ、第３信号線を介して第２導電体に接続され、第２信号を伝送する。検出部は基板の第１主面上に設けられ、第４信号線を介して前記第２端子に接続され、前記第２信号が入力され、前記第１導電体と前記第２導電体の間で発生する電界を検出する。可変容量素子は基板の第１主面上に設けられ、一端が第５信号線を介して第１端子に接続され、他端が基準電位電極に接続される。制御部は第６信号線を介して検出部に接続され、第７信号線を介して可変容量素子の制御端子に接続され、検出部及び可変容量素子を制御する。磁界送受信部は基板の第１主面側に設けられ、一端が第８信号線を介して第１端子に接続され、他端が基準電位電極に接続される。
【図面の簡単な説明】
【００１０】
【図１】第１の実施形態に係る生体検出センサの構成を示す図である。
【図２】図１のＡ−Ａ線に沿う生体検出センサの断面図である。
【図３】図１のＢ−Ｂ線に沿う生体検出センサの断面図である。
【図４】第１の実施形態に係る生体検出センサの動作を説明する図である。
【図５】第１の実施形態に係る人体とセンサの距離に対する検出電力の関係を示す図である。
【図６】第１の変形例の生体検出センサを示す断面図である。
【図７】第２の変形例の生体検出センサを示す断面図である。
【図８】第２の実施形態に係る通信装置の構成を示す図である。
【図９】第２の実施形態に係る通信システムの構成を示す図である。
【図１０】第２の実施形態に係る通信装置の等価回路図である。
【図１１】第２の実施形態に係る通信装置の送受信の判断を説明する図である。
【図１２】第２の実施形態に係る通信装置の動作を示すフローチャート。
【図１３】第３の実施形態に係る通信装置の構成を示すブロック図である。
【図１４】第３の実施形態に係る通信機能を備えた生体検出センサの動作を示すフローチャート。
【図１５】第３の実施形態に係る通信機能を備えた生体検出センサの動作を示すフローチャート。
【図１６】第４の実施形態に係る通信機能を備えた生体検出センサの構成を示すブロック図である。
【図１７】第５の実施形態に係る電力伝送システムを示す概略図である。
【図１８】第５の実施形態に係る電力伝送装置のコイルを示す表面図である。
【図１９】第６の実施形態に係わる金属検出センサの概略図である。
【図２０】第６の実施形態に係る金属検出センサの動作を説明する図である。
【図２１】第６の実施形態に係る金属とセンサの距離に対する検出電力の関係を示す図である。
【図２２】第３の変形例の金属検出センサを示す概略図である。
【００１１】
以下本発明の実施形態について図面を参照しながら説明する。
【００１２】
（第１の実施形態）
まず、本発明の第一の実施形態に係る生体検出センサについて、図面を参照して説明する。図１は生体検出センサの構成を示す図である。図２は図１のＡ−Ａ線に沿う生体検出センサの断面図である。図３は図１のＢ−Ｂ線に沿う生体検出センサの断面図である。本実施形態では、対向配置される２つの導電体、信号発生部、検出部、及び制御部を用いて、人体との距離を把握している。
【００１３】
図１に示すように、生体検出センサ７００には、基板１０３、信号発生部１０４、検出部１０５、制御部１０６、導電体１０７、導電体１０８、信号線１０９、信号線１１１、信号線１１２、信号線１１３、信号線１１５、端子１１０、端子１１４、ビア１３１、ビア１３２、及び筺体１３３が設けられる。
【００１４】
生体検出センサ７００は、生体としての人体が近づくと受信感度が低下し、検出部１０５によって検出される受信信号強度が所定値以下になると人体の存在を検知する構成となっている。詳細は後述する。
【００１５】
筺体１３３は、水平方向が高さ方向よりも大きい箱型形状を有する。筺体１３３は、基板１０３、信号発生部１０４、検出部１０５、制御部１０６、導電体１０７、導電体１０８、信号線１０９、信号線１１１、信号線１１２、信号線１１３、信号線１１５、端子１１０、端子１１４、ビア１３１、及びビア１３２を覆って内部に収納する。
【００１６】
ここでは、筺体１３３を箱形形状にしているが、代わりに端部がＲ形状を有する箱形又は楕円球形状などにしてもよい。
【００１７】
基板１０３は、誘電体部１０１と基準電位電極１０２から構成される。基準電位電極１０２は、接地電極とも呼称される。誘電体部１０１は、基準電位電極１０２の第一主面（表面）上に設けられる。誘電体部１０１は、例えば絶縁性セラミック或いは絶縁性有機物等から構成される。基準電位電極１０２は、例えば銅（Ｃｕ）或いは金（Ａｕ）などの金属層から構成される。
【００１８】
信号発生部１０４は、誘電体部１０１の第一主面（表面）上に設けられ、第１信号を発生する。端子１１０（第１端子）は、誘電体部１０１の第一主面（表面）上に設けられ、信号線１０９（第１信号線）を介して信号発生部１０４に接続される。導電体１０７（第１導電体）は、誘電体部１０１の第一主面側に設けられ、信号線１１１（第２信号線）を介して端子１１０に接続される。導電体１０８（第２導電体）は、誘電体部１０１の第一主面側に導電体１０７に対して並列配置され、信号線１１５（第３信号線）を介して端子１１４（第２端子）に接続される。
【００１９】
導電体１０７、導電体１０８は板状の形状を有する。導電体１０７、導電体１０８は信号電極として機能し、筺体１３３の上部内壁に配置される。導電体１０７は、信号発生部１０４から出力される第１信号を入力し、並列配置される導電体１０８に第１信号を送信する。導電体１０７、導電体１０８は、例えば銅泊などの導電性シート、塗布或いはインクジェット法を用いて薄膜化及び焼結化された導電性インク、或いはＩＴＯ（indium tin oxide）などの透明導電材などが使用される。
【００２０】
端子１１４は、誘電体部１０１の第一主面（表面）上に設けられ、信号線１１３（第４信号線）を介して検出部１０５に接続される。検出部１０５は、誘電体部１０１の第一主面（表面）上に設けられ、信号線１１２（第６信号線）を介して制御部１０６に接続される。制御部１０６は、誘電体部１０１の第一主面（表面）上に設けられる。
【００２１】
検出部１０５は、信号発生部１０４から出力される第１信号を信号線１０９、端子１１０、信号線１１１、導電体１０７、導電体１０８、信号線１１５、端子１１４、及び信号線１１３を介して入力し、信号強度を検出する。制御部１０６は、信号線１１２を介して制御信号を検出部１０５に出力し、検出部１０５を制御する。
【００２２】
図２に示すように、信号線１０９は、誘電体部１０１上に形成されたものである。端子１１０は、内導体部２１、外導体部２２、誘電体部２３、及び誘電体部２４から構成される。端子１１０の中央部には内導体部２１が設けられ、内導体部２１の周囲には誘電体部２３が設けられる。外導体部２２は、誘電体部２３を介して内導体部２１の周囲に設けられる。外導体部２２の周囲には誘電体部２４が設けられる。
【００２３】
信号線１１１は、内側信号線１１及び誘電体部１２から構成される。信号線１１１の中央部には内側信号線１１が設けられ、内側信号線１１の周囲には誘電体部１２が設けられる。信号線１１１の内側信号線１１は、一端が信号線１０９に接続され、他端が信号電極１０７に接続される。信号電極１０７は、厚さＴ１を有する筺体１３３の上部の内壁に設けられる。
【００２４】
図３に示すように、信号線１１３は、誘電体部１０１上に形成されたものである。端子１１４は、内導体部２１、外導体部２２、誘電体部２３、及び誘電体部２４から構成される。端子１１４の中央部には内導体部２１が設けられ、内導体部２１の周囲には誘電体部２３が設けられる。外導体部２２は、誘電体部２３を介して内導体部２１の周囲に設けられる。外導体部２２の周囲には誘電体部２４が設けられる。
【００２５】
信号線１１５は、内側信号線１１及び誘電体部１２から構成される。信号線１１５の中央部には内側信号線１１が設けられ、内側信号線１１の周囲には誘電体部１２が設けられる。信号線１１５の内側信号線１１は、一端が信号線１１３に接続され、他端が信号電極１０８に接続される。信号電極１０８は、厚さＴ１を有する筺体１３３の上部の内壁に設けられる。
【００２６】
次に、生体検出センサ７００による人体の検出について図４（ａ）及び図４（ｂ）を参照して説明する。図４（ａ）は、導電体１０７と導電体１０８による空間結合を示す模式図である。図４（ｂ）は、人体が生体検出センサ７００に近接した場合を示す模式図である。
【００２７】
図４（ａ）に示すように、人体が生体検出センサ７００と離間しているとき、導電体１０７と導電体１０８は空間結合している。信号発生部１０４から出力される第１信号は、導電体１０７を介して導電体１０８に入力され、検出部１０５により検出される。
【００２８】
図４（ｂ）に示すように、人体が生体検出センサ７００に近接すると、導電体１０７と導電体１０８の間で発生する空間結合の一部が人体により遮断される。この結果、導電体１０８で受信される第１信号の信号強度が減少する。したがって、生体検出センサ７００は、人体が近接しているかを検出することができる。
【００２９】
次に、生体検出センサ７００の検出特性について図５を参照して説明する。図５は、人体と生体検出センサ７００の距離に対する検出電力の関係を示す図である。ここでは、人体が生体検出センサ７００と離間しているときの検出電力を０（ゼロ）ｄＢとしている。
【００３０】
図５に示すように、例えば、人体と生体検出センサ７００の距離が１５ｃｍ以上のとき検出電力は０（ゼロ）ｄＢと一定な値である。人体と生体検出センサ７００の距離が、１０ｃｍになると検出電力が減少し始める。更に、人体と生体検出センサ７００の距離が短くなると、検出電力は急激に減少する。人体と生体検出センサ７００の距離がほとんどなくなると、検出電力は−５ｄＢとなる。
【００３１】
この結果から、生体検出センサ７００は、比較的簡略な構成にも関わらず、人体が近づいたことを高感度に検出するできることがわかる。
【００３２】
上述したように、本実施形態の生体検出センサでは、基板１０３、信号発生部１０４、検出部１０５、制御部１０６、導電体１０７、導電体１０８、信号線１０９、信号線１１１、信号線１１２、信号線１１３、信号線１１５、端子１１０、端子１１４、ビア１３１、ビア１３２、及び筺体１３３が設けられる。人体が生体検出センサ７００と離間しているとき、導電体１０７と導電体１０８は空間結合している。人体が生体検出センサ７００に近接すると、導電体１０７と導電体１０８の間で発生する空間結合の一部が人体により遮断される。この結果、導電体１０８で受信される第１信号の信号強度が減少する。
【００３３】
このため、生体検出センサ７００は、比較的簡略な構成にも関わらず、人体が近づいたことを高感度に検出することができる。
【００３４】
本実施形態では、導電体１０７及び導電体１０８を筺体１３３の内壁に配置しているが、必ずしもこれに限定されるものではない。例えば、図６に示す第１の変形例の生体検出センサ７００ａのようにしてもよい。
【００３５】
具体的には、導電体１０７を筺体１３３の外壁に配置してもよい。導電体１０７は、筺体１３３の貫通孔２５を介して信号線１１１に接続される。なお、図示していないが、導電体１０８も同様な構成にするのが好ましい。
【００３６】
また、導電体１０７及び導電体１０８の形状及び位置を適宜変更してもよい。例えば、導電体１０７及び導電体１０８をグロースリング構造体に変更してもよい。具体的には、図７（ａ）に示すように、板状の形状を有する導電体１０７ａに対して、角が四角で辺が直線状のグロースリング構造を有する導電体１０８ａを、間隔Ｄ１だけ離間配置してもよい。また、図７（ｂ）に示すように、楕円版の形状を有する導電体１０７ｂに対して、ドーナツ状の形状を有する導電体１０８ｂを、間隔Ｄ１だけ離間配置してもよい。
【００３７】
また、生体検出センサ７００では、導電体１０７及び導電体１０８を一対にして設けているが、導電体１０７及び導電体１０８を複数設けてもよい。この場合、生体検出センサが人体のどんな場所に近接或いは接触しても高感度で人体の存在を確認することができる。
【００３８】
（第２の実施形態）
次に、本発明の第２の実施形態に係る通信装置について、図面を参照して説明する。図８は通信装置の構成を示す図である。図９は通信システムの構成を示す図である。図１０は通信装置の等価回路図である。本実施形態では、第１の実施形態の生体検出センサを通信装置の構成要素として取り込み、人体が所定の距離以内のときだけ通信可能としている。
【００３９】
以下、第１の実施形態と同一構成部分には、同一符号を付してその部分の説明を省略し、異なる部分のみ説明する。
【００４０】
図８に示すように、通信装置８００には、基板１０３、検出部１０５、制御部１０６、導電体１０７、導電体１０８、信号線１０９、信号線１１１、信号線１１２、信号線１１３、信号線１１５、端子１１０、端子１１４、ビア１３１、ビア１３２、筺体１３３、ビア１３６、ビア１３７、信号線４０１、信号線４０２、信号線４０３、信号線４０８、通信部４０４、可変容量素子４０５、及び磁界送受信部４０７が設けられる。
【００４１】
通信装置８００は、第１の実施形態の生体センサ７００に対して、信号発生部１０４を通信部４０４に変更し、新たにビア１３６、ビア１３７、信号線４０１、信号線４０２、信号線４０３、信号線４０８、可変容量素子４０５、及び磁界送受信部４０７を追加したものである。通信装置８００は、人体が所定の距離以内のときだけ通信できる構成となっている。詳細は後述する。
【００４２】
筺体１３３は、水平方向が高さ方向よりも大きい箱型形状を有する。筺体１３３は、基板１０３、検出部１０５、制御部１０６、導電体１０７、導電体１０８、信号線１０９、信号線１１１、信号線１１２、信号線１１３、信号線１１５、端子１１０、端子１１４、ビア１３１、ビア１３２、ビア１３６、ビア１３７、信号線４０１、信号線４０２、信号線４０３、信号線４０８、通信部４０４、可変容量素子４０５、及び磁界送受信部４０７を覆って内部に収納する。
【００４３】
通信部４０４は、誘電体部１０１の第一主面（表面）上に設けられ、データの送受信を行う。通信部１０４の接地電極は、図示していないがビアを介して基準電位電極１０２に接続される。通信部４０４は、信号線１０９（第１信号線）を介して端子１１０に接続される。
【００４４】
可変容量素子４０５は、誘電体部１０１の第一主面（表面）上に設けられ、信号線４０２（第５信号線）を介して端子１１０に接続される。可変容量素子４０５は、接地電極（図示しない）がビア１３７を介して基準電位電極１０２に接続される。可変容量素子４０５は、制御端子（図示しない）が信号線４０１（第７信号線）を介して制御部１０６に接続される。可変容量素子４０５は、信号線４０１（第７信号線）を介して制御部１０６から出力される制御信号により容量を可変する。
【００４５】
可変容量素子４０５は、ＭＥＭＳ型可変容量素子或いは可変容量ダイオードから構成される。
【００４６】
磁界送受信部４０７は、誘電体部１０１の第一主面側に導電体１０７に対して間隔Ｄ２だけ離間配置される。磁界送受信部４０７は、磁性体部４１と磁性体部４１に螺旋状に巻かれている信号線４２から構成される。磁性体部４１は、フェライトバーとも呼称される。信号線４２は、一端が信号線４０８（第８信号線）を介して端子１１０に接続され、他端が信号線を介して端子４０９に接続される。
【００４７】
端子４０９は、誘電体部１０１の第一主面（表面）上に設けられ、ビア１３６を介して基準電位電極１０２に接続される。
【００４８】
図９に示すように、通信システム１には、通信装置８００及び通信装置８１０が設けられる。通信システム１は、人体などの生体２０を介して通信装置８００と通信装置８１０の間をウエラブル・コンピューティング通信する。通信システム１では、生体２０が介在する近距離無線が行われる。
【００４９】
通信システム１では、例えば通信装置８００の通信部４０４が送信部（Ｔｘ）の場合、通信部４０４から送信されるデータは、導電体１０７、磁界送受信部４０７、人体２０、通信装置８１０の磁界送受信部４１７、及び通信装置８１０の導電体１１７を介して通信装置８１０の通信部４１４に伝送され、通信部４１４が受信部（Ｒｘ）となる。一方、通信装置８１０の通信部４１４が送信部（Ｔｘ）の場合、通信装置８００の通信部４０４が受信部（Ｒｘ）となる。
【００５０】
図１０に示すように、通信装置８００では、通信部４０４、可変容量素子４０５、導電体１０７、及び磁界送受信部４０７がバーアンテナの等価回路と同じ構成となる。導電体１０７と可変容量素子４０５は、バーアンテナのマッチング調整素子として機能する。導電体１０７は、人体２０との距離によって容量が可変する。図示しないが通信装置８１０も同様な構成である。
【００５１】
次に、通信装置の送受信の判断について、図１１（ａ）及び図１１（ｂ）を参照して説明する。ここでは、通信装置８００をＴｘとし、通信装置８１０をＲｘとする。図１１（ａ）は、人体２０が通信装置８００（Ｔｘ）及び通信装置８１０（Ｒｘ）と近接している場合を示す図である。図１１（ｂ）は、人体２０が通信装置８００（Ｔｘ）及び通信装置８１０（Ｒｘ）と所定の間隔以上離間している場合を示す図である。
【００５２】
図１１（ａ）に示すように、人体２０と通信装置８００（Ｔｘ）及び通信装置８１０（Ｒｘ）とが所定の間隔より近接した間隔Ｄ１１の場合、生体検出センサの検出部１０５が人体２０を検出し、制御部１０６が可変容量素子４０５を所定の容量に制御する。このため、人体２０と近接したときだけバーアンテナのマッチング調整が可能となり通信が可能となる。その結果、通信装置８００の通信部４０４から出力された信号は、通信装置８１０の通信部４１４に入力される。
【００５３】
一方、図１１（ｂ）に示すように、人体２０と通信装置８００（Ｔｘ）及び通信装置８１０（Ｒｘ）とが所定の間隔より離間した間隔Ｄ１２離間の場合、生体検出センサの検出部１０５が人体２０を検出せず、制御部１０６は可変容量素子４０５を制御しない。このため、バーアンテナのマッチング調整が機能せず通信装置８００と通信装置８１０の間の通信を行うことができない。
【００５４】
次に、通信装置の動作について図１２を参照して説明する。図１２は通信装置８００の通信開始から終了までを示すフローチャートである。
【００５５】
図１２に示すように、通信が開始されると、通信部４０４から導電体１０７及び磁界送受信部４０７に送信信号（これ以降、第２信号と呼称する）が入力される。導電体１０７に入力された第２信号は、導電体１０７と空間結合される導電体１０８に受信され、検出部１０５で検出される。検出結果（第２信号の検出電力値）は、制御部１０６でモニターされる（ステップＳ１）。
【００５６】
制御部１０６は、第２信号の検出電力値が閾値（人体２０が所定の距離のときの値）よりも低下し、人体２０が近接しているかどうかを判断する（ステップＳ２）。
【００５７】
制御部１０６は、人体が近接していないと判断すると、可変容量素子４０５の値を初期値にするように制御する（ステップＳ３）。この結果、この時点で通信は終了する。
【００５８】
制御部１０６は、人体が近接していると判断すると、通信が継続中かどうかを判断する（ステップＳ４）。
【００５９】
制御部１０６は、継続中と判断すると、出力値に対応する制御信号を可変容量素子４０５に送信する（ステップＳ５）。
【００６０】
制御部１０６は、継続中ではないと判断すると、可変容量素子４０５の値を初期値にするように制御する（ステップＳ６）。この結果、この時点で通信は終了する。
【００６１】
なお、通信中は、常に検出部１０５により検出された第２信号の検出電力値を制御部１０６がモニターし、出力値に応じて制御部１０６が可変容量素子４０５を制御し続ける。
【００６２】
上述したように、本実施形態の通信装置では、基板１０３、検出部１０５、制御部１０６、導電体１０７、導電体１０８、信号線１０９、信号線１１１、信号線１１２、信号線１１３、信号線１１５、端子１１０、端子１１４、ビア１３１、ビア１３２、筺体１３３、ビア１３６、ビア１３７、信号線４０１、信号線４０２、信号線４０３、信号線４０８、通信部４０４、可変容量素子４０５、及び磁界送受信部４０７が設けられる。制御部１０６は、生体検出センサの出力値に応じて可変容量素子４０５を制御する。
【００６３】
このため、所定の距離以内に人体２０が近接しているときだけ、通信装置８００は通信を実行することができる。
【００６４】
（第３の実施形態）
次に、本発明の第３の実施形態に係る生体検出センサについて、図面を参照して説明する。図１３は通信機能を備えた生体検出センサの構成を示すブロック図である。本実施形態では、人体が近接しているときは人体周囲で発生する電磁界を利用した通信を行い、人体が離間しているときはアンテナを利用した通信を行っている。
【００６５】
以下、第１の実施形態と同一構成部分には、同一符号を付してその部分の説明を省略し、異なる部分のみ説明する。
【００６６】
図１３に示すように、生体検出センサ９００は通信機能を有する。生体検出センサ９００には、信号発生部１０４、検出部１０５、制御部１０６、導電体１０７、導電体１０８、ベースバンド部９０１、高周波部９０２、スイッチ９０３、スイッチ９０４、高周波部９０５、及びアンテナ９０６が設けられる。
【００６７】
ここで、信号発生部１０４、検出部１０５、制御部１０６、導電体１０７、及び導電体１０８は、第１の実施形態の生体検出センサ７００と同様な動作をする。検出部１０５で検出された検出信号Ｓｄｔ１は制御部１０６に送信される。具体的には、人体２０が近づくと受信感度が低下し、検出部１０５によって検出される受信信号強度が所定値以下になると人体の存在を検知する。
【００６８】
信号発生部１０４は、第１信号をスイッチ９０３に出力する。スイッチ９０３は、信号発生部１０４と導電体１０７の間に設けられ、制御部１０６から出力されるイネーブル状態の制御信号Ｓｓｇ１により、信号発生部１０４と導電体１０７の間を接続する。スイッチ９０３は、ＳＰＳＴスイッチである。
【００６９】
ベースバンド部９０１は、信号Ｓｏ１を制御部１０６に出力する。ベースバンド部９０１は、スイッチ９０４の間で信号を送受信する。スイッチ９０４は、ベースバンド部９０１と高周波部９０２及び高周波部９０５の間に設けられる。スイッチ９０４は、制御部１０６から出力される制御信号Ｓｓｇ２により、ベースバンド部９０１と高周波部９０２の間、或いはベースバンド部９０１と高周波部９０５の間を接続する。スイッチ９０４は、ＳＰＤＴスイッチである。
【００７０】
高周波部９０２は、スイッチ９０４と導電体１０７の間に設けられる。高周波部９０５は、スイッチ９０４とアンテナ９０６の間に設けられる。
【００７１】
次に、通信機能を備えた生体検出センサの動作について図１４及び図１５を参照して説明する。図１４及び図１５は、通信機能を備えた生体検出センサの動作を示すフローチャートである。
【００７２】
図１４は、通信開始時に高周波部９０５を選択した場合のフローチャートである。図１４に示すように、通信が開始されると、ベースバンド部９０１から制御部１０６に通信を開始する信号Ｓｏ１が送信される。制御部１０６は、ベースバンド部９０１と高周波部９０５の間を接続する制御信号Ｓｓｇ２をスイッチ９０４に送信する。この結果、アンテナ９０６を介して通信が開始される。同時に、制御部１０６は、信号発生源１０４と導電体１０７の間を接続するイネーブル状態の制御信号Ｓｓｇ１をスイッチ９０３に送信する。このため、導電体１０７と導電体１０８を利用した人体２０の検出が行われる（ステップＳ１１）。
【００７３】
アンテナ９０６を介して、通信が実行されているとき、制御部１０６は検出部１０５で検出される信号強度をモニターする（ステップＳ１２）。
【００７４】
制御部１０６は、検出電力値が閾値（人体２０が所定の距離のときの値）よりも低下し、人体２０が近接しているかどうかを判断する（ステップＳ１３）。
【００７５】
制御部１０６は、検出電力値が閾値以下と判断すると、ベースバンド部９０１と高周波部９０２の間を接続する制御信号Ｓｓｇ２をスイッチ９０４に送信する。同時に、信号発生部１０４と導電体１０７の間をオフするディセーブル状態の制御信号Sｓｇ１をスイッチ９０３に送信する（ステップＳ１４）。この結果、導電体１０７を利用して、人体２０の周囲に発生する電磁界を利用した通信への切り替えが行われる。
【００７６】
制御部１０６は、検出電力値が閾値以上と判断すると、通信が継続中かどうかを判断する（ステップＳ１５）。継続中であれば、制御部１０６は検出部１０５で検出される信号強度をモニターする。
【００７７】
継続中でなければ、制御部１０６は、信号発生部１０４と導電体１０７の間をオフするディセーブル状態の制御信号Sｓｇ１をスイッチ９０３に送信する（ステップＳ１９）。このため、通信は終了する。
【００７８】
電磁界を利用した通信への切り替え後、送受信できているかを判断する（ステップＳ１６）。電磁界を利用した送受信が行われていると判断された場合、電磁界を利用した通信が続行される。
【００７９】
送受信できていないと判断された場合、制御部１０６は送信を終了するかどうかを判断する（ステップＳ１７）。
【００８０】
図１５は、通信開始時に高周波部９０２を選択した場合のフローチャートである。図１５に示すように、通信が開始されると、ベースバンド部９０１から制御部１０６に通信を開始する信号Ｓｏ１が送信される。制御部１０６は、ベースバンド部９０１と高周波部９０２の間を接続する制御信号Ｓｓｇ２をスイッチ９０４に送信する。同時に、制御部１０６は、信号発生源１０４と導電体１０７の間を接続するイネーブル状態の制御信号Ｓｓｇ１をスイッチ９０３に送信する。このため、導電体１０７と導電体１０８を利用した人体２０の検出が開始される。人体２０が所定の距離以内に近接していると判断すると、制御部１０６は信号発生源１０４と導電体１０７の間をオフするディセーブル状態の制御信号Ｓｓｇ１をスイッチ９０３に送信する。この結果、導電体１０７を利用して、人体２０の周囲に発生する電磁界を利用した通信が実行される（ステップＳ２１）。
【００８１】
制御部１０６は、電磁界を利用した通信の送受信できているかを判断する（ステップＳ２２）。電磁界を利用した送受信が行われていると判断された場合、電磁界を利用した通信が続行される。
【００８２】
制御部１０６は、電磁界を利用した通信の送受信できていないと判断すると、通信を終了するかどうかを判断する（ステップＳ２３）。通信を終了すると判断すると通信は停止される。
【００８３】
制御部１０６は、通信を終了しないと判断すると、ベースバンド部９０１と高周波部９０５の間を接続する制御信号Ｓｓｇ２をスイッチ９０４に送信する。同時に、制御部１０６は、信号発生源１０４と導電体１０７の間を接続するイネーブル状態の制御信号Ｓｓｇ１をスイッチ９０３に送信する。このため、導電体１０７と導電体１０８を利用した人体２０の検出が開始される。
【００８４】
アンテナ９０６を介して、通信が実行されているとき、制御部１０６は検出部１０５で検出される信号強度をモニターする（ステップＳ２５）。
【００８５】
制御部１０６は、検出電力値が閾値（人体２０が所定の距離のときの値）よりも低下し、人体２０が近接しているかどうかを判断する（ステップＳ２６）。
【００８６】
検出電力値が閾値以下と判断されると、ステップＳ２１に戻る。検出電力値が閾値以上と判断されると、継続中であるかどうかが判断される（ステップＳ２７）。継続中であると判断される場合、ステップＳ２５に戻る。継続中ではないと判断されると通信は停止される。
【００８７】
上述したように、本実施形態の生体検出センサでは、信号発生部１０４、検出部１０５、制御部１０６、導電体１０７、導電体１０８、ベースバンド部９０１、高周波部９０２、スイッチ９０３、スイッチ９０４、高周波部９０５、及びアンテナ９０６が設けられる。信号発生部１０４、検出部１０５、制御部１０６、導電体１０７、及び導電体１０８は、生体検出センサとして機能する。人体２０が所定の距離以上離間しているとき、スイッチ９０４は制御部１０６によりベースバンド部９０１と高周波部９０５の間を接続する。人体２０が所定の距離以内に近接しているとき、スイッチ９０３は制御部１０６により信号発生部１０４と導電体１０７の間をオフし、スイッチ９０４は制御部１０６によりベースバンド部９０１と高周波部９０２の間を接続する。
【００８８】
このため、通信機能を備えた生体検出センサ９００では、人体２０が所定の距離以内に近接しているときは人体２０の周囲で発生する電磁界を利用した通信を行い、人体２０が所定の距離以上離間しているときはアンテナを利用した通信を行うことが可能となる。
【００８９】
なお、通信機能を備えた生体検出センサ９００では、導電体１０７を用いて、人体２０の周囲に発生する電磁界を利用した通信を実行しているが必ずしもこれに限定されるものではない。例えば、第２の実施形態の磁界送受信部４０７を高周波部９０２に接続して通信を実行してもよい。
【００９０】
（第４の実施形態）
次に、本発明の第４の実施形態に係る生体検出センサについて、図面を参照して説明する。図１６は通信機能を備えた生体検出センサの構成を示すブロック図である。本実施形態では、人体との近接状態に応じて無線通信を切り替え、人体の測定データを外部に送信している。
【００９１】
以下、第３の実施形態と同一構成部分には、同一符号を付してその部分の説明を省略し、異なる部分のみ説明する。
【００９２】
図１６に示すように、生体検出センサ１１００は通信機能を有し、人体２０の生体情報（心電情報）を検出する。生体検出センサ１１００には、信号発生部１０４、検出部１０５、制御部１０６、導電体１０７、導電体１０８、ベースバンド部９０１、高周波部９０２、スイッチ９０３、スイッチ９０４、高周波部９０５、アンテナ９０６、心電計１１０１、ローパスフィルタ１１０２、ローパスフィルタ１１０３、及びユーザーインターフェース１１０４が設けられる。
【００９３】
ここで、信号発生部１０４、検出部１０５、制御部１０６、導電体１０７、及び導電体１０８は、第１の実施形態の生体検出センサ７００と同様な動作をする。具体的には、人体２０が近づくと受信感度が低下し、検出部１０５によって検出される受信信号強度が所定値以下になると人体の存在を検知する。
【００９４】
心電計１１０１は、人体２０から得られる心電信号を、人体２０に接触する導電体１０７及び導電体１０８を用いて受信する。心電計１１０１は、メモリ１１０５及び差動増幅装置（図示しない）を有し、差動増幅装置で差動増幅処理を行う。心電計１１０１は、心電情報を検出し検出結果を信号Ｓｏ２として制御部１０６に出力し、メモリ１１０５に心電情報を格納する。心電計１１０１は、検出された心電情報をベースバンド部へ出力する。
【００９５】
ローパスフィルタ１１０２は、心電計１１０１と導電体１０７の間に設けられ、高周波部９０２及び信号発生部１０４から出力される信号が心電計１１０１に流入するのを防ぐ役目をする。ローパスフィルタ１１０３は、心電計１１０１と導電体１０８の間に設けられ、導電体１０８から送信される信号発生部１０４の第１信号が心電計１１０１に流入するのを防ぐ役目をする。
【００９６】
生体検出センサ１１００は、外部装置へのデータ転送が必要なとき、無線通信を実行する。なお、無線通信中では、心電情報の検出を実行してもよいし、或いは実行していなくともよい。通信をしていないときでも、導電体１０７及び導電体１０８が人体２０に接触していることを判別するために、心電情報を検出している間、イネーブル状態の制御信号Ｓｓｇ１をスイッチ９０３に送信する。
【００９７】
ユーザーインターフェース１１０４は、制御部１０６から出力される信号Ｓｏ３を入力する。このため、生体検出センサ１１００が人体２０の検出動作を行い、導電体１０７及び導電体１０８が人体２０から外れて心電情報を検出できない場合、ユーザーインターフェース１１０４を介して外部で確認することができる。
【００９８】
上述したように、本実施形態の生体検出センサでは、信号発生部１０４、検出部１０５、制御部１０６、導電体１０７、導電体１０８、ベースバンド部９０１、高周波部９０２、スイッチ９０３、スイッチ９０４、高周波部９０５、アンテナ９０６、心電計１１０１、ローパスフィルタ１１０２、ローパスフィルタ１１０３、及びユーザーインターフェース１１０４が設けられる。信号発生部１０４、検出部１０５、制御部１０６、導電体１０７、及び導電体１０８は、生体検出センサとして機能する。導電体１０７及び導電体１０８は、人体２０が接触しているとき、人体２０から得られる心電信号を受信する。心電計１１０１は、ローパスフィルタ１１０２を介して導電体１０７から出力される心電信号と、ローパスフィルタ１１０３を介して導電体１０８から出力される心電信号とを入力する。心電計１１０１は、心電情報を検出し検出結果を制御部１０６に出力する。ユーザーインターフェース１１０４は、制御部１０６から出力される信号を入力する。
【００９９】
このため、生体検出センサ１１００は、人体２０との近接状態に応じて無線通信を切り替えて測定データを外部に送信できる。また、通信の有無に関わらず、心電検出用の電極としての導電体１０７及び導電体１０８が人体２０に接触しているかを外部に通知することが可能となる。
【０１００】
（第５の実施形態）
次に、本発明の第５の実施形態に係る電力伝送システムについて、図面を参照して説明する。図１７は電力伝送システムを示す概略図である。図１８は、電力伝送装置のコイルを示す表面図である。本実施形態では、電力伝送装置は生体検出センサを有し、電力伝送装置のコイルの間に生体検出センサの導電体を設けて、人体の近接状態を検知できるようにしている。
【０１０１】
図１７に示すように、電力伝送システム１２００には、電力伝送装置１２０１と電力伝送装置１２０２が設けられる。電力伝送システム１２００では、電力伝送装置１２０１と電力伝送装置１２０２の間をワイヤレスで電力が伝送される。
【０１０２】
ワイヤレス電力伝送方式としては、電磁誘導方式、電波放射方式、磁界共鳴方式等がある。ここでは、電力伝送装置１２０１と電力伝送装置１２０２が数ｍ程度離間しても高い電力伝送効率が得られる磁界共鳴方式を採用している。
【０１０３】
通常、送信器の共振器として機能する送受信コイルに人体２０などの生体が接触或いは近接すると電力伝送効率が劣化する。このため、本実施形態では、電力伝送装置１２０１に生体検出センサ１２１１とユーザーインターフェース部１２１３が設けられ、電力伝送装置１２０２に生体検出センサ１２２１とユーザーインターフェース部１２２３が設けられる。生体検出センサ１２１１には、送受信コイル１３０１が設けられる。生体検出センサ１２２１には、送受信コイル１３０２が設けられる。
【０１０４】
生体検出センサ１２１１と生体検出センサ１２２１は、第１の実施形態の生体検出センサ７００と同様に、人体２０などの生体が送受信コイルに接触或いは近接するかを検出する。
【０１０５】
図１８に示すように、送受信コイル１３０１及び送受信コイル１３０２では、複数巻の送受信コイルの間に導電体１０７と導電体１０８を交互に配置している。この配置により、人体２０などの生体の近接状態を高感度に検出することが可能となる。生体検出センサ１２１１で検出された結果は、ユーザーインターフェース部１２１３を介して外部に出力される。生体検出センサ１２２１で検出された結果は、ユーザーインターフェース部１２２３を介して外部に出力される。
【０１０６】
上述したように、本実施形態の電力伝送システムでは、ワイヤレスで電力を伝送する電力伝送装置１２０１及び電力伝送装置１２０２が設けられる。電力伝送装置１２０１に生体検出センサ１２１１とユーザーインターフェース部１２１３が設けられる。生体検出センサ１２１１には、送受信コイル１３０１が設けられる。電力伝送装置１２０２に生体検出センサ１２２１とユーザーインターフェース部１２２３が設けられる。生体検出センサ１２２１には、送受信コイル１３０２が設けられる。
【０１０７】
このため、電力伝送システム１２００では、電力伝送装置に人体２０などの生体が近接しているかを高感度に検出でき、検出結果を利用者に迅速に通知することができる。
【０１０８】
（第６の実施形態）
次に、本発明の第６の実施形態に係る金属検出センサについて、図面を参照して説明する。図１９は金属検出センサの概略図である。本実施形態では、金属検出センサを用いて物体内の金属を探知する。
【０１０９】
以下、第１の実施形態と同一構成部分には、同一符号を付してその部分の説明を省略し、異なる部分のみ説明する。
【０１１０】
図１９に示すように、金属検出センサ１６００には、金属検出部１６１０及び制御部１６２０が設けられる。金属検出部１６１０には、信号発生部１０４、検出部１０５、導電体１０７、及び導電体１０８が設けられる。
【０１１１】
金属検出センサ１６００は、物体１６０１内の金属１６０２の探査時、物体１６０１に接触或いは近接される。金属検出センサ１６００は、金属検出部１６１０を、例えば図示しない位置制御装置などを用いて動かして、物体１６０１の表面上を走査する。制御部１６２０は、金属検出部１６１０や位置制御装置などを制御する。金属検出部１６１０は、物体１６０１の内部の金属１６０２を検出し、検出結果を制御部１６２０に送信する。
【０１１２】
制御部１６２０は、金属検出部１６１０の検出結果と金属検出部１６１０の位置を対応づけて図示しないメモリに格納する。物体１６０１の表面上の走査により、物体１６０１内の金属１６０２の位置及び形状を検出することができる。
【０１１３】
次に、金属検出センサ１６００による金属の検出について図２０（ａ）及び図２０（ｂ）を参照して説明する。図２０（ａ）は、導電体１０７と導電体１０８による空間結合を示す模式図である。図２０（ｂ）は、金属１６０２が金属検出センサ１６００に近接した場合を示す模式図である。
【０１１４】
図２０（ａ）に示すように、金属１６０２が金属検出センサ１６００と離間しているとき、導電体１０７と導電体１０８は空間結合している（第１の実施形態の図４（ａ）と同様）。
【０１１５】
図２０（ｂ）に示すように、金属１６０２が金属検出センサ１６００に近接すると、導電体１０７から送信された第1信号が金属１６０２表面上を伝搬することで、図２０（ａ）の場合よりも導電体１０８で受信した第１信号の信号強度が高くなる。この結果は、第１の実施形態の生体とは逆となる。
【０１１６】
次に、金属検出センサ１６００の検出特性について図２１を参照して説明する。図２１は、金属１６０２と金属検出センサ１６００の距離に対する検出電力の関係を示す図である。ここでは、金属１６０２が金属検出センサ７００と離間しているときの検出電力を０（ゼロ）ｄＢとしている。
【０１１７】
図２１に示すように、例えば、金属１６０２と金属検出センサ１６００の距離が２０ｃｍ以上のとき検出電力は０（ゼロ）ｄＢと一定な値である。金属１６０２と金属検出センサ１６００の距離が、１５ｃｍになると検出電力が増加し始める。更に、金属１６０２と金属検出センサ１６００の距離が短くなると、検出電力は急激に増加する。金属１６０２と金属検出センサ１６００の距離がほとんどなくなると、検出電力は＋５ｄＢとなる。
【０１１８】
この結果から、金属検出センサ１６００は、比較的簡略な構成にも関わらず、金属１６０２を検出するできることがわかる。
【０１１９】
ここでは、金属１６０２と金属検出センサ１６００の距離が、１５ｃｍになると検出電力が増加し始めているが、更に金属検出センサ１６００を高感度にするには導電体１０７と導電体１０８の容量結合を大きくするのが好ましい。
【０１２０】
ここで、本実施形態の金属検出センサ１６００にカメラを設けてもよい。例えば、図２２の第３の変形例の金属検出センサ１７００のようにカメラ１７０１を制御部１６２０に接続してもよい。カメラ１７０１は、撮影した画像データを制御部１６２０に送信する。制御部１６２０は、金属検出部１６１０の検出結果と画像データをメモリに格納する。金属検出センサ１７００は、画像データ上の検出電力に応じた等高線図或いは強度分布図を投射した図面データを作成する。このため、金属検出センサ１７００は、物体１６０１内の金属１６０２の位置及び形状を検出することが可能となる。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１  通信システム
１１  内側信号線
１２、２３、２４  誘電体部
２０  人体
２１  内導体部
２２  外導体部
２５  貫通孔
４１  磁性体部
１０１  誘電体部
１０２  基準電位電極
１０３  基板
１０４  信号発生部
１０５  検出部
１０６、１６２０  制御部
１０７、１０７ａ、１０７ｂ、１０８、１０８ａ、１０８ｂ、１１７  導電体
４２、１０９、１１１、１１２、１１３、１１５、４０１、４０２、４０３、４０８  信号線
１１０、１１４、４０９  端子
１３１、１３２、１３４、１３５、１３６、１３７  ビア
１３３  筺体
４０４、４１４  通信部
４０５  可変容量素子
４０７、４１７  磁界送受信部
８００、８１０  通信装置
９０１  ベースバンド部
９０２、９０５  高周波部
９０３、９０４  スイッチ
９０６  アンテナ
１１０１  心電計
１１０２、１１０３  ローパスフィルタ
１１０４  ユーザーインターフェース
１１０５  メモリ
１２００  電力伝送システム
１２０１、１２０２  電力伝送装置
７００、７００ａ、９００、１１００、１２１１、１２２１  生体検出センサ
１２１３、１２２３  ユーザーインターフェース
１３０１、１３０２  送受信コイル
１６００、１７００  金属検出センサ
１６０１  物体
１６０２  金属
１６１０  金属検出部
１７０１  カメラ
Ｄ１、Ｄ２、Ｄ１１、Ｄ１２  間隔
Ｓｄｔ１  検出信号
Ｓｏ１  信号
Ｓｓｇ１、Ｓｓｇ２  制御信号
Ｔ１  厚さ
【図１】
2015032927.tif 000003
【図２】
2015032927.tif 000004
【図３】
2015032927.tif 000005
【図４】
2015032927.tif 000006
【図５】
2015032927.tif 000007
【図６】
2015032927.tif 000008
【図７】
2015032927.tif 000009
【図８】
2015032927.tif 000010
【図９】
2015032927.tif 000011
【図１０】
2015032927.tif 000012
【図１１】
2015032927.tif 000013
【図１２】
2015032927.tif 000014
【図１３】
2015032927.tif 000015
【図１４】
2015032927.tif 000016
【図１５】
2015032927.tif 000017
【図１６】
2015032927.tif 000018
【図１７】
2015032927.tif 000019
【図１８】
2015032927.tif 000020
【図１９】
2015032927.tif 000021
【図２０】
2015032927.tif 000022
【図２１】
2015032927.tif 000023
【図２２】
2015032927.tif 000024